(57)【特許請求の範囲】
【請求項１】
トランスファージャックのジャック本体の先端部にループ係止部を形成したトランスファージャックをトランスファージャックベッドに形成した溝内に進退摺動可能に収納し、ニードルベッドの摺動溝内に進退摺動可能に収納したニードルとの間で目移し可能な横編機におけるトランスファージャックにおいて、トランスファージャックを、
ニードルの進出用空間を挟んで先端部が弾性閉止される左右一対のループ係止部を備え、少なくとも一方が弾性を有する板状の部材により構成したトランスファージャック本体と、
前記トランスファージャック本体のループ係止部間に掛け渡されたループと交差する方向に移動可能であって、トランスファージャック本体の上方に配置され、トランスファージャック本体に対し相対移動することで前記トランスファージャック本体の左右のループ係止部の間を移動でき、ループ係止部間に係止されるループに当接し、該ループを押し出し作用するループクリア作用面を先端に形成したループクリア部材、とで構成したことを特徴とするトランスファージャック。
【請求項２】
ニードルを進退動自在に保持してなる前後一対のニードルベッドを有し、少なくとも一方のニードルベッドが他方のニードルベッドに対し左右移動可能に構成され、少なくとも一方のニードルベッド上に、トランスファージャックを進退動自在に保持するトランスファージャックベッドを備えた横編機において、
ニードルの進出用空間を挟んで先端部が弾性閉止される左右一対のループ係止部を備え、少なくとも一方が弾性を有する板状の部材により構成したトランスファージャック本体と、
前記トランスファージャック本体の一対のループ係止部間に掛け渡されたループと交差する方向に移動可能であって、トランスファージャック本体の上方に配置され、トランスファージャック本体に対し相対移動することで前記トランスファージャック本体の左右のループ係止部の間を移動でき、ループ係止部間に係止されるループに当接し、該ループを押し出し作用するループクリア作用面を先端に形成したループクリア部材、とで構成したトランスファージャックを、トランスファージャックベッドの収納溝内に収納するとともに、ループ係止部に係止されるループをループクリア部材のループクリア作用面が押し出し作用する方向に前記トランスファージャック本体とループクリア部材を相対移動させる制御手段を設けたことを特徴とする目移し機構を備えた横編機。
【請求項３】
ニードルを進退動自在に保持してなる前後一対のニードルベッドを有し、少なくとも一方のニードルベッドが他方のニードルベッドに対し左右移動可能に構成され、少なくとも一方のニードルベッド上にニードルの進出用空間を挟んで先端部が弾性閉止される左右一対のループ係止部を備え、少なくとも一方が弾性を有する板状の部材により構成したトランスファージャック本体と、トランスファージャック本体の上方に配置され、前記トランスファージャック本体の一対のループ係止部間に掛け渡されたループと交差する方向に移動可能であって、トランスファージャック本体に対し相対移動することで前記トランスファージャック本体の左右のループ係止部の間を移動でき、ループ係止部間に係止されるループに当接し、該ループを押し出し作用するループクリア作用面を先端に形成したループクリア部材を備えるトランスファージャックをトランスファージャック溝に収納したトランスファージャックベッドを備えた横編機で、トランスファージャックからニードルへの目移しの際に、ループ係止部に係止されるループをループクリア部材のループクリア作用面が押し出し作用する方向にトランスファージャック本体とループクリア部材を相対移動させることを特徴とする目移し方法。
【発明の詳細な説明】
【０００１】
【発明の属する技術分野】
本発明は先端にループ係止部を形成したトランスファージャック（以下ＴＲジャックと表現する）、および該ＴＲジャックを使用する目移し機構を備えた横編機、およびＴＲジャックとニードル間の目移し方法に関する。
【０００２】
【従来の技術】
上面の溝内にニードルを進退動自在に保持してなる前後一対のニードルベッドを有し、その何れか一方又は双方のニードルベッドが他方のニードルベッドに対し左右移動可能に構成され、少なくとも一方のニードルベッド上に、その上面に形成される溝内にＴＲジャックを進退動自在に保持するＴＲジャックベッドを備えた横編機が特許登録第２７９４１４４号公報に開示されている。該公報の横編機では、ＴＲジャックベッドとニードルベッドが相対的に長手方向にラッキング可能に構成され、前後のニードルベッドのニードル間およびニードルベッドのニードルとＴＲジャックベッドのＴＲジャック間でのループの受け渡しが可能である。ニードルベッドのニードルに係止されるループをＴＲジャックベッドのＴＲジャックへと目移しし、ＴＲジャックベッドをラッキングした後、ＴＲジャックに係止されるループをニードルベッドのニードルに移すことにより、元々ループを係止していたニードルの側方のニードルに目移しできる。
【０００３】
図１２はＴＲジャックからニードルへループが目移しされる際の各段階におけるニードルとＴＲジャックの動きを示す。図中の１４１はニードル、１４３はＴＲジャック、１４５はループを示す。図１２ａは直前のコース編成においてＴＲジャック１４３がニードル１４１からループ１４５を受け取った状態で、ＴＲジャック１４３は歯口上に進出した位置にあり、ＴＲジャック先端側に形成したループ係止部１４３ａに係止されるループ１４５が歯口上の受け渡し可能な位置にある。
【０００４】
次の図１２ｂはループ１４５を受け取る前ニードルベッドのニードル１４１を進出させてフック１４１ａをＴＲジャック１４３の前記ループ係止部１４３ａに係止されたループ１４５内に挿通させる。続いて図１２ｃと図１２ｄに示すようにＴＲジャック１４３を後退させてループ１４５をＴＲジャック１４３から解放させニードル１４１へ預ける。図１２ｅはニードル１４１を後退させることでループ１４５はフック１４１ａで捕捉され目移しが完了したところを示す。
【０００５】
ところが図１２ｃと図１２ｄでＴＲジャック１４３が後退するときにループ１４５が後退するＴＲジャック１４３に引き寄せられてしまうことがあり、このような場合には図１２ｅでニードル１４１が後退したときにフック１４１ａでループ１４５を捕捉できずドロップステッチ１４５ａが発生する。ドロップステッチが発生する要因は幾つか考えられる。例えばループ１４５がループ係止部１４３ａから円滑に抜け出せないような形状にＴＲジャック１４３が形成されている場合にループが引き寄せられやすく、特に伸縮性の低い編糸で編地が編成される場合ではＴＲジャック１４３でループが引き寄せられてしまうとＴＲジャックが抜けた後もループは引き寄せられた状態を維持して元の状態へ復帰せずドロップステッチが発生してしまう。
【０００６】
また、ＴＲジャックを後退させることのみによりループをクリアさせる場合には、ＴＲジャックの後退によりループに掛かる張力がループを巻き下げようとする張力を上回る位置までＴＲジャックを後退させなければループがクリアされない。したがって、巻き下げ張力を強く設定して編成する場合や、度目値を小さく設定し細かなループを形成して編成する場合にはループに掛かる負荷が大きい。特にＴＲジャックとその下方のニードルベッドのニードル間でＴＲジャックからニードルへ目移しする場合には、ＴＲジャックが後退する方向へのループの移動を規制するものがなく、ＴＲジャックが後退する方向に移動することにより、ＴＲジャックに係止されるループの前コースで形成されたループがニードルの背面に沿って下向きに移動し、ＴＲジャックに係止されるループを下向きに引く張力が強まる。したがって、ＴＲジャックと対向するニードルベッドのニードル間での目移しを行う場合に比べ、より歯口から離れた位置までＴＲジャックを後退させなければループがクリアされず、ループが引き伸ばされたり切断される虞がある。
【０００７】
本発明は上記した問題に鑑み、確実なループの受け渡しが可能なトランスファージャック、および目移し機構を備えた横編機、および目移し方法を開示することを目的とする。
【０００８】
【発明の構成・作用効果】
上記課題を解決するため、本発明のトランスファージャックは、トランスファージャックのジャック本体の先端部にループ係止部を形成したトランスファージャックをトランスファージャックベッドに形成した溝内に進退摺動可能に収納し、ニードルベッドの摺動溝内に進退摺動可能に収納したニードルとの間で目移し可能な横編機におけるトランスファージャックにおいて、トランスファージャックを、
ニードルの進出用空間を挟んで先端部が弾性閉止される左右一対のループ係止部を備え、少なくとも一方が弾性を有する板状の部材により構成したトランスファージャック本体と、
前記トランスファージャック本体のループ係止部間に掛け渡されたループと交差する方向に移動可能であって、トランスファージャック本体の上方に配置され、トランスファージャック本体に対し相対移動することで前記トランスファージャック本体の左右のループ係止部の間を移動でき、ループ係止部間に係止されるループに当接し、該ループを押し出し作用するループクリア作用面を先端に形成したループクリア部材、とで構成したことを特徴とする。
【０００９】
また、本発明の目移し機構を備えた横編機は、ニードルを進退動自在に保持してなる前後一対のニードルベッドを有し、少なくとも一方のニードルベッドが他方のニードルベッドに対し左右移動可能に構成され、少なくとも一方のニードルベッド上に、トランスファージャックを進退動自在に保持するトランスファージャックベッドを備えた横編機において、
ニードルの進出用空間を挟んで先端部が弾性閉止される左右一対のループ係止部を備え、少なくとも一方が弾性を有する板状の部材により構成したトランスファージャック本体と、
前記トランスファージャック本体の一対のループ係止部間に掛け渡されたループと交差する方向に移動可能であって、トランスファージャック本体の上方に配置され、トランスファージャック本体に対し相対移動することで前記トランスファージャック本体の左右のループ係止部の間を移動でき、ループ係止部間に係止されるループに当接し、該ループを押し出し作用するループクリア作用面を先端に形成したループクリア部材、とで構成したトランスファージャックを、トランスファージャックベッドの収納溝内に収納するとともに、ループ係止部に係止されるループをループクリア部材のループクリア作用面が押し出し作用する方向に前記トランスファージャック本体とループクリア部材を相対移動させる制御手段を設けたことを特徴とする。
【００１０】
また、本発明の目移し方法は、ニードルを進退動自在に保持してなる前後一対のニードルベッドを有し、少なくとも一方のニードルベッドが他方のニードルベッドに対し左右移動可能に構成され、少なくとも一方のニードルベッド上にニードルの進出用空間を挟んで先端部が弾性閉止される左右一対のループ係止部を備え、少なくとも一方が弾性を有する板状の部材により構成したトランスファージャック本体と、トランスファージャック本体の上方に配置され、前記トランスファージャック本体の一対のループ係止部間に掛け渡されたループと交差する方向に移動可能であって、トランスファージャック本体に対し相対移動することで前記トランスファージャック本体の左右のループ係止部の間を移動でき、ループ係止部間に係止されるループに当接し、該ループを押し出し作用するループクリア作用面を先端に形成したループクリア部材を備えるトランスファージャックをトランスファージャック溝に収納したトランスファージャックベッドを備えた横編機で、トランスファージャックからニードルへの目移しの際に、ループ係止部に係止されるループをループクリア部材のループクリア作用面が押し出し作用する方向にトランスファージャック本体とループクリア部材を相対移動させることを特徴とする。
【００１１】
本発明では、トランファージャックから下部ニードルベッドのニードルへ目移しする際に、トランスファージャックベッドのトランスファージャック本体のループ係止部に係止されるループ内にニードルベッドのニードルのフックが進出される。これに続いてトランスファージャックの後退を開始するとともに、トランスファージャック本体とループクリア部材を相対移動させ、ループクリア部材のループクリア作用面をトランスファージャック本体のループ係止間に掛け渡されているループに押し出し作用させる。これによりトランスファージャックからループをクリアすることが可能となる。
【００１２】
【発明の実施の形態】
本発明の実施の一例を図面と共に説明する。図１は横編機の縦断面図である。図２は図１のＴＲジャックベッドの部分拡大図である。図３はＴＲジャック本体とループクリア部材を示す図である。図４は前ベッドのニードルからＴＲジャックベッドへの目移しの際のＴＲジャック制御カムをカム面側から見た図である。図５はＴＲジャックから前ベッドのニードルへの目移しを示す図である。図６はＴＲジャックベッドから前ベッドのニードルへの目移しの際のＴＲジャック制御カムをカム面側から見た図である。図７はＴＲジャックから前ベッドのニードルへの目移しを示す図である。図８はＴＲジャックから後ベッドのニードルへの目移しの際のＴＲジャック制御カムをカム面側から見た図である。図９はＴＲジャックから後ベッドのニードルへの目移しを示す図である。図１０はループクリア部材がループに押し出し作用するタイミングにおけるＴＲジャック先端部の拡大図である。図１１は第二実施例を示す。以下、第一実施例より説明するが、本実施例では前後一対に対向配置される前ニードルベッド（以下、前ベッドと呼ぶ）と後ニードルベッド（以下、後ベッドと呼ぶ）の内の前ベッド上にのみＴＲジャックベッドを備えた横編機で編成を行う場合を説明する。
【００１３】
＜第一実施例＞
本実施例の横編機１は、前後一対に対向配置される前ベッド３ａおよび後ベッド３ｂと、前ベッド３ａの上方に設けられ上面に形成されるＴＲジャック溝５内にＴＲジャック７を収納したＴＲジャックベッド９を備える。前ベッド３ａおよび後ベッド３ｂはニードルベッド基板１３上に形成した溝内にニードルプレート１７を立設し、隣接するニードルプレート１７・１７間に針溝１５を形成し、各針溝１５・１５内にニードル１９ａ，１９ｂを前後ニードルベッド間の歯口中央線Ｗ−Ｗに向けて進退動可能に保持する。後ベッド３ｂは図示せぬ駆動手段によりニードルベッドの長手方向に移動（以下、ラッキングと表現する）可能に構成される。
【００１４】
本実施例では針溝内に装着されるニードル１９が、後端部に形成される凹部２１と係合する凸部２３が形成されるニードルジャック２５の図示せぬバットと、スライダー２９のバット３１がニードルベッド上を左右反転走行する前後一対のキャリッジ３３ａ，３３ｂ上のカム３５ａ，３５ｂ，３７ａ，３７ｂにより進退動されてフックの開閉を行う複合針を使用する場合を説明するが、ベラ針を使用することも可能である。スライダー２９は薄板状のプレート２枚を重ねて形成され、スライダー２９先端がニードル１９のフック３９に向け進出することで、ニードル１９のフック３９によりスライダー２９が左右に押し広げられ目移し用の空間が形成される。左右に押し広げられたループは肩部４１に係止されて目移し位置へと上昇される。ニードル１９はニードルベッド３ａ，３ｂの長手方向に装着した帯金４３ａ，４３ｂにより針溝１５内に保持される。ニードルジャック２５は図示せぬセレクトジャック、セレクタと共に針溝内に装着され、キャリッジ３３ａ，３３ｂのプレッサーにより針溝１５内に没入する方向に押圧されることでジャック２５のバットおよびスライダー２９のバット３１がキャリッジ３３ａ，３３ｂ上のカムに係合しない位置へと没入される。
【００１５】
前後両ニードルベッド３３ａ，３３ｂ間の歯口４５にはシンカープレート４７ａ，４７ｂがニードル１９・１９間に設けられる。ＴＲジャックベッド９は前ベッド３ａに装着した所定枚数置きのニードルプレート１７を上方に延長し、該延長部分４９をＴＲジャックベッド９の支持部とする。ＴＲジャックベッド９は下部ニードルベッド３ａ，３ｂの針溝１５と同ピッチで形成したＴＲジャック溝５内にＴＲジャック７保持し、ＴＲジャックベッド９の長手方向に装着した帯金５１によりＴＲジャックベッド溝５内に保持する。
【００１６】
ＴＲジャック７はＴＲジャック本体５３とループクリア部材５５から構成される。ＴＲジャック本体５３の先端側には、後述するループクリア部材５５の薄肉部５７を収納する収納溝５９を形成する二枚の側壁６１ａ，６１ｂが形成される。側壁６１ａ，６１ｂの先端部にはニードル１９の進出用空間６２を挟んで前方に延出した一対の板状部材のそれぞれにループ係止部６３ａ，６３ｂが形成される。ループ係止部６３ａ，６３ｂにはループが不意に外れるのを防止する段部６５ａ，６５ｂが形成されるとともに先端が弾性閉止される。ＴＲジャック本体５３の後方部には進退制御用バット６７および選針用バット６９が形成されるとともに、ＴＲジャック側面を切削して側方に偏奇させたベンド部７１をＴＲジャック溝の側面に当接することで妄動が防止される。
【００１７】
ＴＲジャック本体５３の上方にＴＲジャック本体５３のループ係止部６３ａ，６３ｂに係止されるループと交差する方向に移動可能に配置されるループクリア部材５５は、先端側に前記ＴＲジャック本体５３に形成される収納溝５９内に収納される薄肉部５７と、進退制御用バット７３、ベンド部７５、係合部７７が形成される。ループクリア部材５５はその側面を切削し側方に偏奇させたベンド部７５をＴＲジャック溝の側面に当接することでＴＲジャック本体５３と独立して進退制御可能に構成される。薄肉部５７の先端にはＴＲジャック本体５３のループ係止部６３ａ，６３ｂ間に掛け渡されるループに対し押し出し作用する円弧状のループクリア作用面７９が形成され、ループクリア部材５５をＴＲジャック本体５３に対し相対移動させることで、ループクリア作用面７９がループ係止部６３ａ，６３ｂに係止されるループに押し出し作用する。ループクリア部材５５は後端の係合部７７によりＴＲジャック本体５３に対する最進出位置と最後退位置が規制される。
【００１８】
ＴＲジャック本体５３およびループクリア部材５５を制御する制御カム８０はループクリア部材制御用カム群８１とＴＲジャック本体制御用カム群８３からなり、ループクリア部材制御用カム群８１は固定カム８５、８７、８９および出没カム９１から構成され、ループクリア部材５５の進退制御用バット７３に作用する。ＴＲジャック本体制御用カム群８３は固定カム９３、９５、９７から構成され、ＴＲジャック本体５３の進退制御用バット６７に作用する。９９は図１および図２において実線で示す作用位置と破線で示す不作用位置に制御可能なアクチュエータであり、該アクチュエータ９９が作用位置に制御された時に、アクチュエータ９９がＴＲジャック本体の進退制御用バット６７に当接してその山形のカム面により歯口に向かい進出する方向にＴＲジャック本体５３を移動させる。
【００１９】
以下、本実施例の横編機の作用を説明する。本実施例の横編機においては、ループクリア部材５５はＴＲジャックベッド９とその下方のニードルベッド（本実施例では前ベッド３ａ）間の目移しにおいて作用位置へと制御され、ＴＲジャックベッド９と対向するニードルベッド（本実施例では後ベッド３ｂ）間の目移しにおいて休止位置に制御される。
図４〜７を使用してＴＲジャックベッド９と前ベッド３ａ間の目移しを説明する。図４および図５はＴＲジャックベッド９と前ベッド３ａ間におけるニードルからＴＲジャックへの目移しを示し、図６および図７はＴＲジャックからニードルへの目移しを示す。ニードル１９ａからＴＲジャック７への目移しでは、図４においてＴＲジャック本体５３およびループクリア部材５５が左から右に向かって移動する。ＴＲジャック本体５３およびループクリア部材５５が▲１▼に達した時、ＴＲジャック本体５３およびループクリア部材５５は共に最後退位置に位置し（図５ａ）、▲２▼に達すると目移しに選択されたＴＲジャック本体５３のバット６９がアクチュエータ９９に当接し、軌道１０１から軌道１０３へと進出され（図５ｂ）、目移しに選択されなかったＴＲジャック本体５３のバット６９は軌道１０１を維持する。▲３▼の位置では、ＴＲジャック本体５３のバット６７ａがカム９５に当接し、軌道１０５を通ってタング４１に係止されるループ１０７に向かってＴＲジャック本体５３が進出され、続いてループクリア部材５５がＴＲジャック本体５３と共にループ１０７に向かって進出される（図５ｃ）。▲４▼の位置ではＴＲジャック本体５３は最進出位置に達し、これと同時にニードル１９ａのスライダー２９が下降を開始し、ループ１０７はスライダー２９からＴＲジャック本体５３のループ係止部６３ａ，６３ｂへと受け渡される（図５ｄ）。
【００２０】
上記編成後、キャリッジの反転および前後ニードルベッドのラッキングを行い、ＴＲジャック７に係止されるループ１０７を受け取るニードルをＴＲジャック７と対向する状態とした後、ＴＲジャック７から前ベッド３ａのニードル１９ａへの目移しを行う。図６と図７でＴＲジャック７から前ベッド３ａのニードル１９ａへの目移しを説明する。
ＴＲジャック７からニードル１９ａへの目移しでは、図６においてＴＲジャック本体５３およびループクリア部材５５が右から左に向かって移動する。図６の▲５▼の位置ではループ１０７を受け取るニードル１９ａのフック３９がＴＲジャック本体５３に係止されるループ内に進出された状態にあり、ループクリア部材５５は出位置に制御された出没式カム９１によりカム８７に係合する位置へと進出される（図７ａ）。▲６▼の位置ではループクリア部材５５はカム８７により最進出位置へと進出され、ループクリア作用面７９がループ係止部６３ａ，６３ｂに掛け渡されたループ１０７をループ係止部６３ａ，６３ｂの段部から押し出しに押し出し、ループ１０７をＴＲジャック７からニードル１９ａに受け渡す（図７ｂ）。▲７▼の位置ではＴＲジャック本体５３が後退されループクリア部材５５の係合部７７がＴＲジャック本体５３に当接し、ＴＲジャック本体５３とループクリア部材５５が共に後退される（図７ｃ）。▲８▼の位置ではＴＲジャック本体５３およびループクリア部材５５が共に最後退位置へと後退されてＴＲジャック７からニードル１９ａへの目移しが完了する（図７ｄ）。
【００２１】
続いてＴＲジャックベッド９と後ベッド３ｂ間の目移しを説明する。なお、ニードル１９ｂからＴＲジャック７への目移しでは、ＴＲジャック本体５３およびループクリア部材５５の制御はＴＲジャックベッド９と前ベッド３ａ間の目移しと共通であるため、ここではＴＲジャックベッド９のＴＲジャック７から後ベッド３ｂのニードルへの目移しのみを図８，９を使用して説明する。図８において、ＴＲジャック本体５３およびループクリア部材５５は右から左に向かって移動する。ＴＲジャック本体５３およびループクリア部材５５が図８の▲１▼に達した時、前コースの編成により後ベッド３ｂからＴＲジャック７へ目移しされたループ１０７内に後ベッド３ｂのニードルのフック３９が進出された状態となっている（図９ａ）。この時、ループクリア部材５５はカム９１が没位置に制御されており、後ベッド３３ｂのニードル１９ｂが最上昇しても干渉しない位置に制御される。続いて▲２▼の位置ではニードル１９ｂの下降が開始されるが、ＴＲジャック本体５３およびループクリア部材５５はそのままの位置を維持する（図９ｂ）。▲２▼から▲３▼に至る間にまずＴＲジャック本体５３の後退が開始され、ループクリア部材５５は９ｂの位置にあり、ループクリア作用面７９がループ１０７に押し出し作用することなく保持される。更なるＴＲジャック本体５３の後退により、ループクリア部材５５の係合部７７がＴＲジャック本体７７と当接し、ＴＲジャック本体５３とループクリア部材５５が後退される（図９ｃ）。▲４▼の位置ではＴＲジャック本体５３およびループクリア部材５５が共に最後退位置まで後退されＴＲジャック７からニードル１９ｂへの目移しが完了する。（図９ｄ）なお、本実施例では図１０に示すようにループクリア作用面７９を円弧状に削いだ形状に形成するとともに、図１０のＴＲジャック本体５３のループ係止部６３ａ，６３ｂに係止されるループ１０７がループクリア作用面７９の最深部の軌跡Ｘ−Ｘ線よりも低い位置となるように形成している。したがって、ループ１０７がループクリア作用面７９に当接すると、ループ１０７はループクリア作用面７９の最深部側、つまりＴＲジャック本体５３のループ係止部６３ａ，６３ｂから浮き上がる矢印Ｙ方向に押し出し作用し、これによりループ係止部６３ａ，６３ｂからループ１０７をスムーズにクリアすることができる。ループクリア作用面７９の形状は、上記した円弧状のものに限られずループ１０７をループ係止部６３ａ，６３ｂの段部６５からスムースに押し出すことのできる形状であればよい。
【００２２】
＜第二実施例＞
次に、ループクリア部材の進退動とＴＲジャック本体の揺動を組み合わせ、ループにかかる負荷を軽減する機構を設けた実施例を図１１を使用して説明する。第二実施例ではＴＲジャック本体１１１の上面にループクリア部材１１３の尾部１１５に当接する凹状のカム面１１７，１１８と、ＴＲジャック本体１１１のループクリア部材１１３を収容する溝内にループクリア部材先端と当接するカム面１１９と、斜面１２３を形成する。ループクリア部材１１３には斜面１２５を形成する。制御カムは第一実施例と共通のものを使用する。
【００２３】
第二実施例の作用をＴＲジャック本体１１１から前ベッドのニードル１２９へ目移しする場合を例に説明する。第二実施例ではＴＲジャック本体１１１に対しループクリア部材１１３が最進出位置および最後退位置にある時、ＴＲジャック本体１１１およびループクリア部材１１３は共に水平状態となる（図１０ａ，１０ｂ，１０ｃ）。そしてＴＲジャック本体１１１が後退すると、ループクリア部材１１３がＴＲジャック本体１１１に対し相対的に進出し、ＴＲジャック本体１１１に対する最後退位置から最進出位置へ進出する過程で、ＴＲジャック本体先端をＴＲジャック内の収容溝底面のカム面１１９に当接させてＴＲジャック本体１１１の先端を下げる方向に揺動させる（図１０ｄ）。この時、ループクリア部材１１３の尾部１１５がＴＲジャック本体１１１のカム面１１８に沿って移動し、ＴＲジャック本体１１１が時計回り方向へ揺動される。そして更にＴＲジャック本体１１１が後退することで、ループクリア部材１１３の係合部１１５がＴＲジャック本体１１１のカム面１１７に当接することによりＴＲジャック本体を反時計回り方向へ揺動させ、ＴＲジャック本体１１１が水平状態でループクリア部材１１３がＴＲジャック本体１１１に対する最進出位置に達し、ループ係止部１２１からループ１３１を押し出す（図１０ｅ）。以降、ループクリア部材１１３がＴＲジャック本体１１１に対する最進出位置を維持してＴＲジャック本体１１１が後退し目移しが完了する。
【００２４】
上記したように、第二実施例ではＴＲジャック本体１１１が後退する際に、ＴＲジャック本体１１１を揺動させることで、ループ係止部１２１の段部１３３からのループ１３１の抜けが良くなるとともに、ループの位置を下げることができるのでループ１３１にかかる負荷を軽減できる。
なお、上記した第二実施例ではＴＲジャック本体１１１およびループクリア部材１１３が進退動する方向に移動させるカムによりＴＲジャック本体１１１を制御する場合を説明したが、ＴＲジャック本体１１１の先端部上面に押し下げ作用するカム、およびＴＲジャック本体１１１の後端部上面に押し下げ作用するカムを設けてＴＲジャック本体１１１の制御を行うことも可能である。
【００２５】
上記実施例では二枚の弾性板状部材を延出し、該延出した先端部にループ係止部を形成するとともに、その先端を弾性閉止したペレリンタイプと呼ばれるＴＲジャックを使用したが、本発明は上記したペレリンタイプのＴＲジャックに限らず、非弾性部材により構成されるＴＲジャック本体の側面に弾性板状部材により形成した目移し用羽根を貼り付けた羽根タイプと呼ばれるＴＲジャックの場合にも実施可能である。また、上記実施例ではＴＲジャック本体とループクリア部材の二層構造としたが、ＴＲジャック本体をそれぞれにループ係止部を形成した二枚の弾性板状部材により構成するとともに、二枚の弾性板状部材間にループクリア部材を挟んで三層構造とすることも可能である。また、上記実施例においては、ループクリア部材を直動させているが、ループクリア作用面がループ係止部からループをすくい上げるようにループクリア部材を揺動させてもよい。また、上記実施例ではループクリア部材のループクリア作用面の先端をＴＲジャック本体の先端と重なる位置まで進出可能に構成したが、ループ係止部に係止されるループに押し出し作用可能な位置まで進出できればよい。
【図面の簡単な説明】
【図１】本発明の第一実施例の横編機の歯口近傍部の縦断面図である。
【図２】図１のＴＲジャックベッドの部分拡大図である。
【図３】ＴＲジャック本体およびループクリア部材を示す図である。
【図４】前ベッドからＴＲジャックへの目移しの際の制御用カムをカム面側から見た図である。
【図５】図４の▲１▼〜▲４▼におけるＴＲジャックおよびループクリア部材とニードルの関係を示す図である。
【図６】ＴＲジャックから前ベッドへの目移しの際の制御カムをカム面側から見た図である。
【図７】図６の▲５▼〜▲８▼におけるＴＲジャックおよびループクリア部材とニードルの関係を示す図である。
【図８】ＴＲジャックから後ベッドへの目移しの際の制御カムをカム面側から見た図である。
【図９】図８の▲１▼〜▲４▼におけるＴＲジャックおよびループクリア部材とニードルの関係を示す図である。
【図１０】ループクリア部材がループに押し出し作用するタイミングにおけるＴＲジャック先端部の拡大図である。
【図１１】第二実施例に係るＴＲジャックおよびループクリア部材とニードルの関係を示す図である。
【図１２】従来技術におけるＴＲジャックからニードルへの目移しを示す図である。
【符号の説明】
１…横編機、３ａ…前ベッド、３ｂ…後ベッド、５…ＴＲジャック溝、７…ＴＲジャック、９…ＴＲジャックベッド、１５…針溝、１９ａ…ニードル、１９ｂ…ニードル、２５…ニードルジャック、２９…スライダー、３３ａ…前キャリッジ、３３ｂ…後キャリッジ、５３…ＴＲジャック本体、５５…ループクリア部材、６３ａ…ループ係止部、６３ｂ…ループ係止部、６７…進退制御用バット、６９…選針用バット、７１…ベンド部、７３…進退制御用バット、７５…ベンド部、７７…係合部、８０…制御カム、８１…ループクリア部材制御用カム群、８３…ＴＲジャック本体制御用カム群、９９…アクチュエータ、１０７…ループ、１１１…ＴＲジャック本体、１１３…ループクリア部材、１１７…カム面、１１８…カム面、１１９…カム面、１２３…斜面、１２５…斜面、１２９…ニードル
【図１】
0004381594.tif 000002
【図２】
0004381594.tif 000003
【図３】
0004381594.tif 000004
【図４】
0004381594.tif 000005
【図５】
0004381594.tif 000006
【図６】
0004381594.tif 000007
【図７】
0004381594.tif 000008
【図８】
0004381594.tif 000009
【図９】
0004381594.tif 000010
【図１０】
0004381594.tif 000011
【図１１】
0004381594.tif 000012
【図１２】
0004381594.tif 000013